(57)【要約】【課題】  機能を電流監視に絞り込むことで、計測に必要な機器の設置スペースを削減すると共に、高い精度で計測できるラック内電流監視装置を提供する。【解決手段】  情報機器の電源電流を計測する電流センサ２が接続される複数のセンサＩＦ部１２と、接続された電流センサ２の電流信号から個々の情報機器の電流値を算出する電流計測部１３と、算出した電流値データを通信ネットワークＮを介して外部に送信するための通信ＩＦ１６とを有し、センサＩＦ部１２は複数のＡ／Ｄ変換回路を備えて電流センサ２が出力するアナログ電流信号をデジタルデータに変換して出力すると共に、電流計測部１３は、デジタルデータから個々の情報機器の電源電流を算出する。【選択図】  図１
2016217744.tif 000002
【特許請求の範囲】
【請求項１】
ラックに収納された個々の情報機器の電源電流を計測して、計測した電流データを外部に送信するラック内電流監視装置であって、
前記情報機器の電源電流を計測する電流センサが接続される複数のセンサ端子と、
前記センサ端子毎に設けられて、前記センサ端子に入力されるアナログ信号をデジタル信号に変換するセンサインターフェース部と、
前記デジタル信号を基に電流値を算出する電流計測部と、
算出した電流値データを通信ネットワークを介して外部に送信するための通信インターフェースとを有することを特徴とするラック内電流監視装置。
【請求項２】
前記センサインターフェース部は、所定の時間毎に少なくとも３つのデジタル変換した電流データを出力し、
前記電流計測部は、前記センサインターフェース部が出力する電流データから、前記所定時間毎に最大値と最小値を削除した残りの電流データの平均値を求めて計測データとして出力することを特徴とする請求項１記載のラック内電流監視装置。
【発明の詳細な説明】
【技術分野】
【０００１】
本発明は、サーバ等の情報機器を収納したラック内の個々の機器に流れる電流を監視するラック内電流監視装置に関する。
【背景技術】
【０００２】
従来より、サーバ等の情報機器が収納されたラック内の電流等を計測して通信ネットワークを介して遠隔監視できる監視装置がある。例えば非特許文献１の監視装置は、電流センサとして変流器を個々の機器の電源線に接続し、この変流器が出力するアナログ電流信号をＡＩユニットによりデジタル信号に変換した後、監視装置（ネットワーク監視装置）により電流値が演算されて外部に出力された（非特許文献１参照）。
【先行技術文献】
【非特許文献】
【０００３】
【非特許文献１】河村電器産業株式会社カタログ  「遠隔環境監視システム」、［平成２７年５月１日検索］、インターネット＜URL：http://www.kawamura.co.jp/datacom/nw_haiden/.../rp48_pamph.pdf＞
【発明の概要】
【発明が解決しようとする課題】
【０００４】
上記従来の監視装置は、監視対象を電流等に特化することで、機器の設置スペースを削減できた。しかしながら、電流を計測するに際して使用する電流センサは変流器が使用されるため出力はアナログであり、監視装置に接続するには別途Ａ／Ｄ変換するための機器（上記非特許文献１ではＡＩユニット）が必要であった。そのため、電流計測に特化してもラック内に設置される機器は多く、広い設置スペースが必要であったし、計測する機器の数に比例して計測に必要な機器も増加した。
更に、ＡＩユニットが複数使用される場合、ＡＩユニット同士は１本のケーブルで直列接続され、監視装置に対してシリアル通信によりデータを送信するため、通信速度が遅くなり正確なデータを入手出来ない場合があった。
【０００５】
そこで、本発明はこのような問題点に鑑み、機能を電流監視に絞り込むことで、計測に必要な機器の設置スペースを削減すると共に、高い精度で計測できるラック内電流監視装置を提供することを目的としている。
【課題を解決するための手段】
【０００６】
上記課題を解決する為に、請求項１の発明は、ラックに収納された個々の情報機器の電源電流を計測して、計測した電流データを外部に送信するラック内電流監視装置であって、情報機器の電源電流を計測する電流センサが接続される複数のセンサ端子と、センサ端子毎に設けられて、センサ端子に入力されるアナログ信号をデジタル信号に変換するセンサインターフェース部と、デジタル信号を基に電流値を算出する電流計測部と、算出した電流値データを通信ネットワークを介して外部に送信するための通信インターフェースとを有することを特徴とする。
この構成によれば、センサインターフェース部がＡ／Ｄ変換を行うため電流センサが出力するアナログ電流信号を直接入力できる。よって、Ａ／Ｄ変換手段を別途設けること無く従来の電流センサを使用でき、省スペースで設置できる。
【０００７】
請求項２の発明は、請求項１に記載の構成において、センサインターフェース部は、所定の時間毎に少なくとも３つのデジタル変換した電流データを出力し、電流計測部は、センサインターフェース部が出力する電流データから、所定時間毎に最大値と最小値を削除した残りの電流データの平均値を求めて計測データとして出力することを特徴とする。
この構成によれば、所定時間毎に最大値と最小値を削除して求めた平均値を計測データとするため、ノイズや波形歪みを除去して精度の高い電流値情報を送信できる。
【発明の効果】
【０００８】
本発明によれば、センサインターフェース部がＡ／Ｄ変換を行うため電流センサが出力するアナログ電流信号を直接入力できる。よって、Ａ／Ｄ変換手段を別途設けること無く従来の電流センサを使用でき、省スペースで設置できる。また、所定時間毎に最大値と最小値を削除して求めた平均値を計測データとするため、ノイズや波形歪みを除去して精度の高い電流値情報を送信できる。
【図面の簡単な説明】
【０００９】
【図１】本発明に係るラック内電流監視装置の一例を示し、通信ネットワークを介して接続されたモニタ装置を含む監視システム全体の構成図である。
【発明を実施するための形態】
【００１０】
以下、本発明を具体化した実施の形態を、図面を参照して詳細に説明する。図１は本発明に係るラック内電流監視装置の一例を示し、通信ネットワークを介して接続されたモニタ装置を含む監視システム全体の構成を示している。１はラック内電流監視装置、２は例えば変流器で構成される電流センサ、３は外部機器であるモニタ装置、４は通信ネットワークＮを介してモニタ装置３と通信するためのルータである。
ラック内電流監視装置１とモニタ装置３とは、ＬＡＮ１０及び通信ネットワークＮを介して接続されている。
【００１１】
ラック内電流監視装置１は、複数の電流センサ２か接続される複数のセンサ端子１２ａを有し、センサ端子１２ａ毎にアナログデータをデジタルデータに変換するＡ／Ｄ変換回路を備えたセンサインターフェース部（センサＩＦ部）１２が設けられている。また、センサＩＦ部１２が出力するデジタルデータを基に電流値を演算する電流計測部１３、計測結果の保存に加えてデータ表示のためのＨＴＭＬやＷｅｂデータ等を記憶する記憶部１４、データの送信制御及びラック内電流監視装置１を制御する電流監視装置ＣＰＵ１５、通信ネットワークＮを介してモニタ装置３と通信するための通信インターフェース（通信ＩＦ）１６等を備えている。尚、電流計測部１３はＩＣ化された演算回路で構成されている。
【００１２】
モニタ装置３は、各種情報を表示するためのモニタ３１、ラック内電流監視装置１のＷＥＢページを表示するＷＥＢブラウザ３２、通信ネットワークＮに接続する通信インターフェース（通信ＩＦ）３３等を備えており、例えばパーソナルコンピュータが適用される。
【００１３】
このように構成されたラック内監視装置１は以下の様に動作する。センサＩＦ部１２は、接続された電流センサ２からアナログの電流信号を受信したら、例えば０．１秒毎にデジタルデータに変換して出力する。この結果、電流計測部１３に対して１秒間に１０個のデータが出力される。
【００１４】
電流計測部１３は、センサＩＦ部１２が出力するデータを基に、例えば１秒毎に電流値を演算して出力する。具体的に、１秒間に入力される１０個のデータに対して、最大値と最小値を削除して残りの８個のデータを平均して計測値として出力する。こうして１秒毎の計測データが出力される。
【００１５】
電流計測部１３が出力する電流値データは、電流監視装置ＣＰＵ１５の制御で記憶部１４に記憶される。尚、電流監視装置ＣＰＵ１５は、このとき、計測データ自体の保存に加えて、予め作成されたＷＥＢページ上にグラフ化したデータも保存する。
そして、このように動作しているラック内電流監視装置１が、モニタ装置３からのアクセスを受けたら、記憶部１４に記憶されたデータが送信され、モニタ装置３のモニタ３１に表示される。例えば、ラック内電流監視装置１が作成したＷＥＢページが表示される。
更に、電流値データを記憶部１４に一定期間蓄積させておけば、例えば１時間毎、或いは１日毎の平均電流値、一定期間の最大値／最小値を算出することができ、電流値データの解析に活用できる。
【００１６】
このように、センサインＩＦ部１２がＡ／Ｄ変換を行うため電流センサ２が出力するアナログ電流信号を直接入力できる。よって、Ａ／Ｄ変換手段を別途設けること無く従来の電流センサ２を使用でき、省スペースで設置できる。
また、所定時間毎に最大値と最小値を削除して求めた平均値を計測値とするため、ノイズや波形歪みを除去して精度の高い電流値情報を送信できる。
【００１７】
尚、上記実施形態ではセンサＩＦ部１２が０．１秒毎に計測データを出力するが、データの出力間隔は任意であり、０．２秒毎であっても、０．０５秒毎であっても良い。また、電流計測部１３が演算する平均値も、１秒毎でなくても良い。
【符号の説明】
【００１８】
１・・ラック内電流監視装置、２・・電流センサ、３・・モニタ装置、１２・・センサインターフェース部、１２ａ・・センサ端子、１３・・電流計測部、１４・・記憶部、１５・・電流監視装置ＣＰＵ、１６・・通信インターフェース、Ｎ・・通信ネットワーク。
【図１】
2016217744.tif 000003